(57)【要約】【課題】  本発明は、床面に直接大きな荷重がかかることがなく、改修等の防水層のメンテナンスが容易に行なえ、横桟を自在に移動して植えるつる植物の葉の大きさや植生密度に応じた横桟の間隔の調整や日陰の範囲の調整が自在に出来るパーゴラ構造物を提供することを可能にすることを目的としている。【解決手段】  建物の鉄骨躯体に固定された支持金物６にパーゴラ構造物Ａの支柱15を連結支持し、支柱15の中間部にプランター17を設け、パーゴラ構造物Ａの横桟27ａ，27ｂはリンク機構の各リンク部材30の回動中心に軸支され、該リンク機構の伸縮に伴って隣設する横桟27ａ，27ｂ相互の離間間隔を伸縮自在に構成したことを特徴とする。【選択図】      図１
2006016762.tif 000002
【特許請求の範囲】
【請求項１】
建物の屋上、ベランダ、テラス等の戸外に設置されるパーゴラ構造物であって、
建物の鉄骨躯体に固定され、床面から突出した支持金物と、
前記支持金物に連結支持される支柱と、
前記支柱に固定される梁材と、
前記支柱の中間部に設けられたプランターと、
を有することを特徴とするパーゴラ構造物。
【請求項２】
前記支柱間に渡して取り付けられる一対のガイド部材と、
前記ガイド部材に支持されつつ該ガイド部材に沿って移動可能な複数の横桟と、
を有することを特徴とする請求項１に記載のパーゴラ構造物。
【請求項３】
前記横桟は、端部が回動自在に連結された複数のリンク部材を有するリンク機構の各リンク部材の回動中心に軸支され、該リンク機構の伸縮に伴って隣設する横桟相互の離間間隔が伸縮自在に構成されたことを特徴とする請求項２に記載のパーゴラ構造物。
【請求項４】
前記隣設する横桟間に渡して係合する線条部材を設けたことを特徴とする請求項３に記載のパーゴラ構造物。
【発明の詳細な説明】
【技術分野】
【０００１】
本発明は、建物の屋上、ベランダ、テラス等の戸外に設置されるパーゴラ構造物に関するものである。
【背景技術】
【０００２】
都会におけるヒートアイランド現象に対応するために建物のベランダ、屋上、屋根、壁面等を緑地化する所謂建物緑化が進められつつある。植物はその蒸散作用による大気の冷却効果によりヒートアイランド現象抑制効果が期待されており、更に公害物質の吸着等、空気浄化作用も有する。
【０００３】
また、植物が植栽される土壌等により雨水の貯水効果が期待出来、下水本管への急激な雨水流入を防止することが出来るため都市洪水の抑制にも大きく貢献出来、更には都市景観、街並景観、ランドスケープ（造園・園芸技術を含む景観デザイン）向上にも大きな寄与をもたらす。
【０００４】
また植物により野鳥、昆虫類の誘致が実現出来、都会の生態圏の復活にも大きな効果が期待されている。都市部における屋根といえども、全てが高層ビルのものではなく、全ての屋根の面積に占める戸建て住宅の屋根の面積は圧倒的に多い。従って、これ等の戸建て住宅の建物緑化を実現することは、ヒートアイランド現象の緩和に大きく寄与することになる。
【０００５】
一方、藤棚に代表されるパーゴラ構造物を建物の屋上に設置し、床面にプランターを設置してここにつる植物を植栽して観賞したり日除けにして涼むことが出来るように構成されたものが提案されている（例えば、特許文献１参照。）。
【０００６】
つる植物を植栽するプランターは建物の屋上の一部の空間を占めるだけであり、つる植物の伸展は棚に任せることが出来るから、屋上面の利用面積はプランターによってはほとんど減少しない。また、枝葉が立体的に展開する一般植物とは異なり、棚に沿って枝葉を平面的に展開し得るつる植物はプランターによる局部的且つ少ない土壌にも拘わらず、広い面積の棚を被覆し得るので、夏季における大きな日陰が確保出来、相応する大きな断熱効果が得られるというメリットがある。
【０００７】
パーゴラを建物の屋上に設置する場合、特許文献１に開示されているように柱やプランターを床面に直接載置したり、柱位置にプランターを載置し、その内部にパーゴラの柱を埋め込むなどしてパーゴラを構成している（従来技術１）。また、パーゴラは予め想定された植物に好適な間隔に横桟（棚）が固定されているのが一般的である（従来技術２）。
【０００８】
【特許文献１】特開平９−１４０２５２号公報
【発明の開示】
【発明が解決しようとする課題】
【０００９】
しかしながら、従来技術１のように、床面に直接柱やプランターを載置していた場合、防水層の改修の際には、土壌やつる植物の幹を収容したプランターやつるの絡まったパーゴラの移動や解体が必要で手間と時間がかかるという問題がある。
【００１０】
更に屋上スラブをＡＬＣ（軽量気泡コンクリート）パネルで構成した鉄骨構造物や木造建物の場合、許容耐力上、ＡＬＣパネル面や野地板面に局部的に大きな荷重をかけることが困難であり、上記の従来技術１では対応し難いという問題がある。
【００１１】
また従来技術２の場合、植栽するつる植物を他の品種に変更する際には葉の大きさ、形状、植生密度等が似通ったつる植物に限定され、選択の自由度が小さいという問題がある。また日陰の範囲を調整することが困難であるという問題がある。
【００１２】
本発明は前記課題を解決するものであり、その目的とするところは、床面に直接大きな荷重がかかることがなく、改修等の防水層のメンテナンスが容易に行なえ、横桟を自在に移動して植えるつる植物の葉の大きさや植生密度に応じた横桟の間隔の調整や日陰の範囲の調整が自在に出来るパーゴラ構造物を提供せんとするものである。
【課題を解決するための手段】
【００１３】
前記目的を達成するための本発明に係るパーゴラ構造物の第１の構成は、建物の屋上、ベランダ、テラス等の戸外に設置されるパーゴラ構造物であって、建物の鉄骨躯体に固定され、床面から突出した支持金物と、前記支持金物に連結支持される支柱と、前記支柱に固定される梁材と、前記支柱の中間部に設けられたプランターとを有することを特徴とする。
【００１４】
また、本発明に係るパーゴラ構造物の第２の構成は、前記第１の構成において、前記支柱間に渡して取り付けられる一対のガイド部材と、前記ガイド部材に支持されつつ該ガイド部材に沿って移動可能な複数の横桟とを有することを特徴とする。
【００１５】
また、本発明に係るパーゴラ構造物の第３の構成は、前記第２の構成において、前記横桟は、端部が回動自在に連結された複数のリンク部材を有するリンク機構の各リンク部材の回動中心に軸支され、該リンク機構の伸縮に伴って隣設する横桟相互の離間間隔が伸縮自在に構成されたことを特徴とする。
【００１６】
また、本発明に係るパーゴラ構造物の第４の構成は、前記第３の構成において、前記隣設する横桟間に渡して係合する線条部材を設けたことを特徴とする。
【発明の効果】
【００１７】
本発明に係るパーゴラ構造物の第１の構成によれば、パーゴラ構造物の支柱を、建物の鉄骨躯体に固定され且つ床面から突出した支持金物に連結支持することによりパーゴラ構造物の自重及び強風等による引き抜き力を建物の鉄骨躯体に直接伝達出来るので、床面には全く荷重がかかることがない。これにより床スラブや防水層への悪影響を防止することが出来、更にパーゴラ構造物の滑動、転倒、飛散を防止することが出来る。
【００１８】
またプランターを支柱の中間部に設けてパーゴラ構造物と屋上の防水層とを完全に分離し、その間に所定のスペースを確保したことで防水層のメンテナンスが容易に行なえる。
【００１９】
また本発明に係るパーゴラ構造物の第２の構成によれば、複数の横桟をガイド部材に沿って移動することで、植えるつる植物の葉の大きさや植生密度に応じて横桟の間隔を調整し、つる植物の育成や日陰の形成に最適な横桟の間隔に設定することや日陰の範囲を調整することが可能となる。
【００２０】
また本発明に係るパーゴラ構造物の第３の構成によれば、横桟がリンク機構の各リンク部材の回動中心に軸支されたことで、リンク機構の伸縮に伴って隣設する横桟相互の離間間隔を伸縮させることが出来る。
【００２１】
また本発明に係るパーゴラ構造物の第４の構成によれば、隣設する横桟間に渡して係合する線条部材をリンク機構の伸縮に伴って移動する複数の横桟に追従させることが出来、離間間隔が大きな横桟であっても該線条部材を利用してつる植物を容易に張らせることが出来る。
【発明を実施するための最良の形態】
【００２２】
図により本発明に係るパーゴラ構造物の一実施形態を具体的に説明する。図１は本発明に係るパーゴラ構造物の第１実施形態の構成を示す斜視説明図、図２（ａ）〜（ｄ）は本発明に係るパーゴラ構造物の第１実施形態の構成を示す平面図、正面図及び左右側面図、図３は支柱の中間部に設けられたプランターの構成を示す側断面説明図、図４は複数の横桟を移動可能なリンク機構の構成を示す拡大斜視図、図５は複数の横桟を移動可能なリンク機構の動きを示す拡大側面図である。
【００２３】
先ず、図１〜図５を用いて本発明に係るパーゴラ構造物の第１実施形態の構成について説明する。図１及び図２において、Ａは建物の屋上１、ベランダ、テラス等の戸外に設置されるパーゴラ構造物であり、支持金物６の下部が図示しない建物の鉄骨躯体を構成する鉄骨梁に固定され、該支持金物６の上部が建物の屋上１の床面から突出して露出され、その支持金物６に支柱15が連結支持され、該支柱15に梁材16が固定され、該支柱15の高さ方向における中間部にプランター17が設けられている。
【００２４】
支柱15及び梁材16により形成される４方側面には面格子材18が設けられており、図２（ｃ），（ｄ）に示す左右側面に設けられる面格子材18はパーゴラ構造物Ａ内に人が出入り出来るように門形に形成されている。
【００２５】
面格子材18は規格化された横パネルと縦パネルの組み合わせを変更することにより、僅かな種類のパネルで様々なデザインパターンを構成することが出来、更につる植物の登坂手段としても重要である。
【００２６】
パーゴラ構造物Ａの支柱15の高さ方向の中間部で脚部近傍には、図２（ｂ）及び図３に示すように、つる植物26を植栽するプランター17が支柱15間に渡して設置されている。
【００２７】
上記構成により建物の屋上１にパーゴラ構造物Ａを設置し、プランター17内に土壌を収容しても該パーゴラ構造物Ａの荷重は床面に伝達することなく直接鉄骨躯体に伝達できる。また屋上床面とパーゴラ構造物Ａとの間に防水層をメンテナンスするためのスペースが確保できる。
【００２８】
図４及び図５はパーゴラ構造物Ａの天部に設けられる複数の横桟27ａ，27ｂを移動可能なリンク機構の構成を示す。パーゴラ構造物Ａの支柱15の天端部間に渡して一対のガイド部材28が取り付けられている。ガイド部材28は所定の離間間隔に設定された上レール28ａと下レール28ｂを有しており、横桟27ａの軸中心に回転自在に設けられたコロ29が上レール28ａ及び下レール28ｂに拘束支持されつつ回転自在に構成されている。
【００２９】
横桟27ａの軸中心にはリンク部材30の一端部が回動自在に軸支されており、該リンク部材30の他端部が横桟27ｂの軸中心に回動自在に軸支されている。即ち、複数の横桟27ａ，27ｂはガイド部材となる上下レール28ａ，28ｂに支持されつつ該上下レール28ａ，28ｂに沿って移動可能で、且つ横桟27ａ，27ｂは端部が回動自在に連結された複数のリンク部材30を有するリンク機構の各リンク部材30の回動中心に軸支され、該リンク機構の伸縮に伴って隣設する横桟27ａ，27ｂ相互の離間間隔が伸縮自在に構成されている。
【００３０】
横桟27ａ，27ｂには所定間隔で貫通孔32が形成されており、線条部材31が隣設する横桟27ａ，27ｂ間に渡して貫通孔32に挿通して係合されている。
【００３１】
図５（ａ）はリンク機構を収縮して横桟27ａ，27ｂ相互の離間間隔を縮小した様子を示す図であり、図５（ｂ），（ｃ）はリンク機構を伸長して横桟27ａ，27ｂ相互の離間間隔を拡張する様子を示す図である。線条部材31は横桟27ａ，27ｂの伸縮動作に追従して移動する。
【００３２】
上記構成によりパーゴラ構造物Ａの横桟27ａ，27ｂに張ったつる植物26が該横桟27ａ，27ｂと一体的に移動出来、パーゴラ構造物Ａに張ったつる植物26により常時日差しが遮ぎられてしまうことがなく、リンク機構により横桟27ａ，27ｂを自在に移動することで、プランター17に植えるつる植物26の葉の大きさや植生密度に応じて横桟27ａ，27ｂの間隔を調整し、つる植物26の育成や日陰の形成に最適な横桟27ａ，27ｂの間隔に設定することや日陰の範囲を調整することが可能となる。
【００３３】
次に、図６を用いて本発明に係るパーゴラ構造物の第２実施形態の構成について説明する。図６（ａ），（ｂ）は本発明に係るパーゴラ構造物の第２実施形態の構成を示す斜視説明図及び平面図である。尚、前記第１実施形態と同様に構成したものは同一の符号を付して説明を省略する。
【００３４】
本実施形態では図６に示すように、パーゴラ構造物Ａの天部に設けられる複数の横桟27ａ，27ｂを移動可能なリンク機構が２列独立して設けられており、パーゴラ構造物Ａの天井の半分毎に夫々のリンク機構により横桟27ａ，27ｂを自在に移動することで、プランター17に植えるつる植物26の葉の大きさや植生密度に応じて横桟27ａ，27ｂの間隔を調整し、つる植物26の育成や日陰の形成に最適な横桟27ａ，27ｂの間隔に設定することや日陰の範囲を調整することが可能となる。他の構成は前記第１実施形態と同様に構成され、同様の効果を得ることが出来る。
【００３５】
次に、図７を用いて本発明に係るパーゴラ構造物の第３実施形態の構成について説明する。図７（ａ），（ｂ）は本発明に係るパーゴラ構造物の第３実施形態の構成を示す部分斜視説明図である。尚、前記各実施形態と同様に構成したものは同一の符号を付して説明を省略する。
【００３６】
本実施形態では、図７に示すように、プランター17を支柱15の中間部に独立して取り付けたものである。本実施形態においてもプランター17内に土壌を収容しても該パーゴラ構造物Ａの荷重は床面に伝達することなく直接鉄骨躯体に伝達できる。また屋上床面とパーゴラ構造物Ａとの間に防水層をメンテナンスするためのスペースが確保できる。他の構成は前記各実施形態と同様に構成され、同様の効果を得ることが出来る。
【００３７】
次に、図８を用いて本発明に係るパーゴラ構造物の第４実施形態の構成について説明する。図８（ａ），（ｂ）は本発明に係るパーゴラ構造物の第４実施形態の構成を示す部分拡大図である。尚、前記各実施形態と同様に構成したものは同一の符号を付して説明を省略する。
【００３８】
本実施形態では、図８（ａ）に示すように、板状の横桟２は、端部が回動自在に連結された複数のリンク部材３を有するリンク機構の各リンク部材３の中間部に設けられた回動中心に軸支され、該リンク機構の伸縮に伴って隣設する横桟２相互の離間間隔が伸縮自在に構成されたものである。
【００３９】
図８（ｂ）に示すように、パーゴラ構造物Ａの外枠となる梁材16の内側には該梁材16に沿って、支柱15間に渡して取り付けられる一対のガイド部材となる断面コ字形状のガイドレール４が開口部を上向きにして取り付けられており、横桟２の両端部には該ガイドレール４に沿って回転しつつ移動可能な回転体５が支軸７により回転自在に軸支されている。また回転体５と横桟２との間でリンク部材３の中間部に設けられた回動中心孔３ａに支軸７が挿通されてリンク部材３が回動自在に軸支されている。
【００４０】
支軸７は横桟２の高さ方向中央部よりも高い位置に設定されており、横桟２はその自重により図８（ａ）に示す垂直状態を維持出来るようになっている。
【００４１】
上記構成によれば、横桟２がリンク機構の各リンク部材３の中間部に設けられた回動中心に軸支されたことで、リンク機構の伸縮に伴って隣設する横桟２相互の離間間隔を伸縮させることが出来る。これにより、横桟２を自在に移動してプランター17に植えるつる植物26の葉の大きさや植生密度に応じて横桟２の間隔を調整し、つる植物26の育成や日陰の形成に最適な横桟２の間隔に設定することや日陰の範囲を調整することが可能となる。他の構成は前記各実施形態と同様に構成され、同様の効果を得ることが出来る。
【００４２】
次に、図９を用いて本発明に係るパーゴラ構造物の第５実施形態の構成について説明する。図９（ａ），（ｂ）は本発明に係るパーゴラ構造物の第５実施形態の構成を示す部分拡大図及び分解斜視図である。尚、前記各実施形態と同様に構成したものは同一の符号を付して説明を省略する。
【００４３】
本実施形態では、図９に示すように、パーゴラ構造物Ａの外枠となる梁材16の内側には該梁材16に沿って、支柱15間に渡して取り付けられる一対のガイド部材となる断面Ｃ字形状のガイドレール８がスリット８ａを下向きにして取り付けられており、該ガイドレール８に支持されつつ該ガイドレール８に沿って移動可能な複数の横桟２の両端部には断面Ｌ字形金具９及び断面Ｚ字形金具12が固定されている。
【００４４】
対向して配置されるＬ字形金具９の水平片９ａとＺ字形金具12の水平片12ａとの間隔はガイドレール８の高さ寸法に対応して設定されており、Ｌ字形金具９の水平片９ａには貫通孔９ｂが設けられている。
【００４５】
Ｌ字形金具９の水平片９ａとＺ字形金具12の水平片12ａとの間にガイドレール８を嵌入し、ビス10を貫通孔９ｂに挿入して該ビス10の先端部をガイドレール８のスリット８ａに挿通して断面コ字形状の係止部材11のネジ孔11ａに螺合することにより横桟２をガイドレール８に移動可能に支持することが出来る。
【００４６】
係止部材11はガイドレール８の内部形状に応じた形状を有して構成されており、ビス10をネジ孔11ａに螺合する際に係止部材11の起立片11ｂがガイドレール８の内壁面に当接して係止され、空回りを防止することが出来る。
【００４７】
横桟２をガイドレール８に支持する際には、係止部材11のネジ孔11ａにビス10を仮留めした状態でガイドレール８の端部開口から該係止部材11を挿入し、横桟２を固定したい位置までガイドレール８に沿って移動させ、所望の位置でビス10を螺合締結することで横桟２をガイドレール８に固定することが出来る。このような構成によれば、隣設する横桟２を所望の異なるピッチで固定することが出来る。
【００４８】
上記構成によれば、複数の横桟２をガイド部材となるガイドレール８に沿って移動することで、プランター17に植えるつる植物26の葉の大きさや植生密度に応じて横桟２の間隔を個々に調整することが出来る。これによりつる植物26の育成や日陰の形成に最適な横桟２の間隔に設定することや日陰の範囲を調整することが可能となる。他の構成は前記各実施形態と同様に構成され、同様の効果を得ることが出来る。
【産業上の利用可能性】
【００４９】
本発明の活用例として、建物の屋上、ベランダ、テラス等の戸外に設置されるパーゴラ構造物に適用出来る。
【図面の簡単な説明】
【００５０】
【図１】本発明に係るパーゴラ構造物の第１実施形態の構成を示す斜視説明図である。
【図２】（ａ）〜（ｄ）は本発明に係るパーゴラ構造物の第１実施形態の構成を示す平面図、正面図及び左右側面図である。
【図３】支柱の中間部に設けられたプランターの構成を示す側断面説明図である。
【図４】複数の横桟を移動可能なリンク機構の構成を示す拡大斜視図である。
【図５】複数の横桟を移動可能なリンク機構の動きを示す拡大側面図である。
【図６】（ａ），（ｂ）は本発明に係るパーゴラ構造物の第２実施形態の構成を示す斜視説明図及び平面図である。
【図７】（ａ），（ｂ）は本発明に係るパーゴラ構造物の第３実施形態の構成を示す部分斜視説明図である。
【図８】（ａ），（ｂ）は本発明に係るパーゴラ構造物の第４実施形態の構成を示す部分拡大図である。
【図９】（ａ），（ｂ）は本発明に係るパーゴラ構造物の第５実施形態の構成を示す部分拡大図及び分解斜視図である。
【符号の説明】
【００５１】
Ａ…パーゴラ構造物
１…建物の屋上
２…横桟
３…リンク部材
３ａ…回動中心孔
４…ガイドレール
５…回転体
６…支持金物
７…支軸
８…ガイドレール
８ａ…スリット
９…Ｌ字形金具
９ａ…水平片
９ｂ……貫通孔
10…ビス
11…係止部材
11ａ…ネジ孔
11ｂ…起立片
12…Ｚ字形金具
12ａ…水平片
15…支柱
16…梁材
17…プランター
18…面格子材
26…つる植物
27ａ，27ｂ…横桟
28…ガイド部材
28ａ…上レール
28ｂ…下レール
29…コロ
30…リンク部材
31…線条部材
32…貫通孔
【図１】
2006016762.tif 000003
【図２】
2006016762.tif 000004
【図３】
2006016762.tif 000005
【図４】
2006016762.tif 000006
【図５】
2006016762.tif 000007
【図６】
2006016762.tif 000008
【図７】
2006016762.tif 000009
【図８】
2006016762.tif 000010
【図９】
2006016762.tif 000011